(57)【要約】【課題】ユーザの多種多様な機能要求に対して低コストで達成できるようにする。【解決手段】第１の画像処理ブロック１６は、読取り装置１から画像データを受け取ると各種画像処理を行って、ＣＰＵ３の指示により第２の画像処理ブロック１７に切り替える。第１の画像処理ブロック１６で処理された画像データを第２の画像処理ブロック１７へ出力されると、各種画像処理が行われ、ＣＰＵ３を介してメモリ４に出力される。このように、読取り装置１で読み取った画像データに対して、画像データ処理装置２内の第１の画像処理ブロック１６と第２の画像処理ブロック１７の両方で処理されて、メモリ４に送出することができる。【選択図】        図１
2009225270.tif 000002
【特許請求の範囲】
【請求項１】
原稿を読み取り電子化した画像データを得る画像読取り手段と、
画像データを記憶する記憶手段と、
前記画像読取り手段、あるいは前記記憶手段からの画像データを処理する画像データ処理手段と、
前記各手段を制御すると共に、前記各手段間の接続制御を行う制御手段と、
を備え、
前記画像データ処理手段は、前記画像読取り手段から受け取った画像データを処理する第１の画像処理ブロックと、前記記憶手段あるいは前記第１の画像処理ブロックから受け取った画像データを処理する第２の画像処理ブロックとを有し、
前記制御手段は、前記画像読取り手段から受け取った画像データを前記第１の画像処理ブロックおよび前記第２の画像処理ブロックの両方で処理を行って前記記憶手段に送出するルートと、前記第１の画像処理ブロックで処理した画像データを前記記憶手段に記憶させ、該記憶手段から読み出した画像データを前記第２の画像処理ブロックで処理して前記憶手段に送出するルートとを選択可能とし、前記第１の画像処理ブロックの処理結果に応じて前記第２の画像処理ブロックで行う処理を切り替えたり、前記第２の画像処理ブロックで行う処理内容に応じて前記第２の画像処理ブロックへの入力画像を前記第１の画像処理ブロックか前記記憶手段からかを切り替えたりすることを特徴とする画像処理装置。
【請求項２】
前記制御手段は、前記第１の画像処理ブロックと前記第２の画像処理ブロックとを直列に接続し、出力先に応じた全画像処理を前記第１の画像処理ブロックと前記第２の画像処理ブロックとで完了させることを特徴とする請求項１に記載の画像処理装置。
【請求項３】
前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記画像読取り手段からの画像データの入力速度が前記第２の画像処理ブロックでの画像データの処理速度を上回っている場合は、前記第１の画像処理ブロックでの処理終了後に前記記憶手段に画像データを待避させ、前記第２の画像処理ブロックが処理可能な速度で前記記憶手段から画像データを随時読み出して画像処理を行うことにより、前記画像読取り手段と前記第１の画像処理ブロックと前記第２の画像処理ブロックとの処理速度差を吸収させることを特徴とする請求項１記載の画像処理装置。
【請求項４】
前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記第２の画像処理ブロックが前記第１の画像処理ブロックでの１ページ分の処理結果に伴って画像処理パラメータを決定して画像処理を行う場合は、前記第１の画像処理ブロックでの処理終了後に前記記憶手段に画像データを待避させ、前記第２の画像処理ブロックが前記第１の画像処理ブロックでの１ページ分の画像処理の完了を待って、前記第２の画像処理ブロックが前記記憶手段から画像データを随時読み出して画像処理を行うことにより、ページ毎に異なる画像処理パラメータを用いて前記第２の画像処理ブロックで画像処理することを特徴とする請求項１に記載の画像処理装置。
【請求項５】
前記制御手段は、前記第２の画像処理ブロックが前記記憶手段から画像データを読み出す際の読み出し開始アドレスと転送データサイズとを、前記第１の画像処理ブロックから前記記憶手段に画像データを書き込むのと並行して、前記第１の画像処理ブロックから前記第２の画像処理ブロックに自動的に設定することを特徴とする請求項３または４に記載の画像処理装置。
【請求項６】
外部機器との間で画像データを送受信する外部インタフェース手段をさらに備え、
前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記第１の画像処理ブロックが前記画像読取り手段から入力される画像データを処理して前記記憶手段に送出する最中に、前記第２の画像処理ブロックは前記外部インタフェース手段を介して外部機器からの画像データを随時読み出して画像処理を行うことを特徴とする請求項１に記載の画像処理装置。
【請求項７】
外部機器からプリンタスクリプトデータを受信する外部インタフェース手段と、
前記外部インタフェース手段を介して入力されたプリンタスクリプトデータに基づいて前記制御手段で描画処理を行う描画処理手段と、
をさらに備え、
前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記第１の画像処理ブロックが前記画像読取り手段から入力される画像データを処理して前記記憶手段に送出する最中に、前記第２の画像処理ブロックは前記外部インタフェース手段を介して外部機器から入力されるプリンタスクリプトデータを前記描画処理手段で描画した画像データを用いて画像処理を行うことを特徴とする請求項１に記載の画像処理装置。
【請求項８】
前記制御手段は、前記画像読取り手段から受け取った画像データを前記第１の画像処理ブロックで処理して前記記憶手段に送出する際に、画像データと併せて前記第２の画像処理ブロックで使用する画像処理パラメータを退避させ、前記第２の画像処理ブロックが前記外部インタフェース手段を介して入力されるデータに対して画像処理を終了した後、前記退避させた画像処理パラメータを前記第２の画像処理ブロックに設定し、前記退避させた画像データに対して画像処理を再開することを特徴とする請求項６または７に記載の画像処理装置。
【請求項９】
原稿を読み取り電子化した画像データを得る画像読取りステップと、
少なくとも前記画像読取りステップで読み取った画像データを処理する画像データ処理ステップと、
前記画像データ処理ステップで処理された画像データを記憶する記憶ステップと、
前記各ステップを制御する制御ステップと、
を含み、
前記画像データ処理ステップは、前記画像読取りステップで読み取られた画像データを処理する第１の処理ステップと、前記記憶ステップあるいは前記第１の処理ステップで処理された画像データを処理する第２の処理ステップとを含み、
前記制御ステップは、前記画像読取りステップで読み取った画像データを前記第１の処理ステップおよび前記第２の処理ステップの両方で処理を行って前記記憶ステップで記憶する手順と、前記第１の処理ステップで処理した画像データを前記記憶ステップで記憶させ、該記憶させた画像データを前記第２の処理ステップで処理して再度前記憶ステップで記憶させる手順とを選択可能にし、前記第１の処理ステップの処理結果に応じて前記第２の処理ステップで行う処理を切り替えたり、前記第２の処理ステップで行う処理内容に応じて前記第２の処理ステップで処理する画像データを前記第１の処理ステップによるものか前記記憶ステップによるものかを切り替えたりすることを特徴とする画像処理方法。
【請求項１０】
請求項９に記載の画像処理方法の各ステップをコンピュータに実行させることを特徴とするコンピュータが実行するためのプログラム。
【発明の詳細な説明】
【技術分野】
【０００１】
この発明は、画像処理装置、画像処理方法、プログラムに関し、画像読取り手段で読み取った画像データを画像データ処理手段による複数の画像処理ブロックと記憶手段との間で処理を行う画像処理装置、画像処理方法、およびその方法をコンピュータに実行させるプログラムに関する。
【背景技術】
【０００２】
近年、ＣＣＤ光電変換素子からなるラインセンサを用いた読み取り装置や、レーザー照射によるトナー書き込み装置の発展により、アナログ複写機からデジタル化された画像データにてコピーを作成するデジタル複写機が登場している。このデジタル複写機となってからは、デジタル画像データを扱う他の装置との親和性が高まり、複写機としての機能だけでなく、ファクシミリ機能、プリンタ機能、スキャナ機能などいろいろな機能と複合することにより、デジタル複合機（以下、ＭＦＰともいう）と呼ばれるようになってきている。
【０００３】
また、ＨＤＤドライブ等メモリの大容量化、低コスト化、ネットワーク等通信技術の高速化、ＣＰＵの処理能力の向上、デジタル画像データに関連する技術（圧縮技術等）等々、ＭＦＰに関連する技術の進化に伴い、ＭＦＰに搭載される機能も多種・多様化してきている。さらに、ＭＦＰの使われ方も多種・多様化してきている。例えば、小型ＭＦＰは、パーソナルコンピュータ（ＰＣ）の横にペアで設置され、操作者が手軽に複写機、ファクシミリ、プリンタ、スキャナの機能を使用することができる。また、中型のＭＦＰは、部署や課単位の複数名で共有され、ある程度の生産性やソート・パンチ・ステープル等の機能が使用できる。さらに、大型のＭＦＰは、企業の中で複写関連業務を集中して行う部署、もしくは複写関連業務そのものを生業とする会社では、高生産性・高品位で多機能ものが使用されている。
【０００４】
このように、小型〜大型まで多様化してきているＭＦＰであるが、各クラスにわたって共有できる機能も存在し、クラスごとに固有となる要求の強い機能も存在する。例えば、大型ＭＦＰでは、パンチ・ステープル・紙折り等、プロット後の紙に対する後加工や、複写業務と同時に電子ファイリング化すること等が求められ、小型ＭＦＰではインターネットＦＡＸやＰＣ−ＦＡＸ等の充実、あるいはパーソナルな使用目的として、専用紙に対する高品位画像印刷等が求められている。
【０００５】
このように、多種多様化してきているＭＦＰ市場に対して、これまでは各クラスに必要な機能をセットにしたシステムを構築し、提供している。そして、ビジネスにおける情報価値の重要性は既に認知されており、情報を早く、正確かつ確実に伝えるだけでなく、分かりやすく、効果的に伝えることも要求されている。さらに、通信技術の高速化や普及化、メモリの大容量化、低コスト化、小型化、あるいはＰＣの高性能化に伴い、デジタルデータを利用した情報を効率的にあつかう新しい機能が提供されてきている。特に、デジタルデータの一部であるデジタル画像データを扱うＭＦＰには、次々と新機能の提供や機能融合が図られてきている。
【０００６】
例えば、特許文献１では、より広範囲な変倍率の変倍に対応することによって多様な合成ができ、しかも、メモリの記憶容量による読み込み可能な画像領域の制限を緩和する画像処理装置が提案されている。
【０００７】
また、特許文献２では、画像処理装置がフルサイズのページメモリを搭載していない場合であっても、画像劣化が少なく、高速での画像出力処理を実現することができる画像処理装置が提案されている。
【０００８】
【特許文献１】特開２０００−１６５６５５号公報
【特許文献２】特開平７−７８２４５号公報
【発明の開示】
【発明が解決しようとする課題】
【０００９】
しかしながら、このように機能が多種多様化したＭＦＰ、特に小型ＭＦＰにあっては、ＰＣの横にペアで設置され、操作者が手軽に複写機、ファクシミリ、プリンタ、スキャナの機能を使用できることから、ＳＯＨＯ等の小オフィスだけに留まらず、一般家庭のユーザや中型／大型オフィスなど多岐に渡るユーザに対して普及している。このため、各種ユーザが小型ＭＦＰに求める機能要求が多種多様化し、次々と提供される新機能提供ともに複雑化し、これら全てを包含する機能達成しながら、小型ＭＦＰの最大の特徴である低コスト化を両立させながら行うことは、大変困難になってきつつあるという問題があった。
【００１０】
例えば、上記特許文献１にあっては、メモリの容量によって読み込み可能な画像サイズに制限を受けることを緩和する方法として、使用可能なメモリ容量やメモリを使用する回転処理の有無に応じて変倍処理の方法を切り替えて画像処理を行っているが、画像処理の性質に対応して画像処理に対する制約を緩和するものではなく、常に状況に適した解決手段になっていないという問題があった。
【００１１】
また、上記特許文献２にあっては、フルサイズのページメモリを搭載していなくても、ページメモリと画像登録用メモリの使い方を入力し、処理すべき画像データの容量に応じて自動的に切り替えて画像処理を行っているが、この場合も同様に画像処理の性質に対応して画像処理に関する課題を解決するものではなく、常に状況に適した解決手段になっていないという問題があった。
【００１２】
本発明は、上記に鑑みてなされたものであって、ユーザの多種多様な機能要求に対して低コストで達成することができる画像処理装置、画像処理方法、およびその方法をコンピュータに実行させるプログラムを提供することを目的とする。
【課題を解決するための手段】
【００１３】
上述した課題を解決し、目的を達成するために、請求項１にかかる発明は、原稿を読み取り電子化した画像データを得る画像読取り手段と、画像データを記憶する記憶手段と、前記画像読取り手段、あるいは前記記憶手段からの画像データを処理する画像データ処理手段と、前記各手段を制御すると共に、前記各手段間の接続制御を行う制御手段と、を備え、前記画像データ処理手段は、前記画像読取り手段から受け取った画像データを処理する第１の画像処理ブロックと、前記記憶手段あるいは前記第１の画像処理ブロックから受け取った画像データを処理する第２の画像処理ブロックとを有し、前記制御手段は、前記画像読取り手段から受け取った画像データを前記第１の画像処理ブロックおよび前記第２の画像処理ブロックの両方で処理を行って前記記憶手段に送出するルートと、前記第１の画像処理ブロックで処理した画像データを前記記憶手段に記憶させ、該記憶手段から読み出した画像データを前記第２の画像処理ブロックで処理して前記憶手段に送出するルートとを選択可能とし、前記第１の画像処理ブロックの処理結果に応じて前記第２の画像処理ブロックで行う処理を切り替えたり、前記第２の画像処理ブロックで行う処理内容に応じて前記第２の画像処理ブロックへの入力画像を前記第１の画像処理ブロックか前記記憶手段からかを切り替えたりすることを特徴とする。
【００１４】
また、請求項２にかかる発明は、請求項１に記載の画像処理装置において、前記制御手段は、前記第１の画像処理ブロックと前記第２の画像処理ブロックとを直列に接続し、出力先に応じた全画像処理を前記第１の画像処理ブロックと前記第２の画像処理ブロックとで完了させることを特徴とする。
【００１５】
また、請求項３にかかる発明は、請求項１に記載の画像処理装置において、前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記画像読取り手段からの画像データの入力速度が前記第２の画像処理ブロックでの画像データの処理速度を上回っている場合は、前記第１の画像処理ブロックでの処理終了後に前記記憶手段に画像データを待避させ、前記第２の画像処理ブロックが処理可能な速度で前記記憶手段から画像データを随時読み出して画像処理を行うことにより、前記画像読取り手段と前記第１の画像処理ブロックと前記第２の画像処理ブロックとの処理速度差を吸収させることを特徴とする。
【００１６】
また、請求項４にかかる発明は、請求項１に記載の画像処理装置において、前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記第２の画像処理ブロックが前記第１の画像処理ブロックでの１ページ分の処理結果に伴って画像処理パラメータを決定して画像処理を行う場合は、前記第１の画像処理ブロックでの処理終了後に前記記憶手段に画像データを待避させ、前記第２の画像処理ブロックが前記第１の画像処理ブロックでの１ページ分の画像処理の完了を待って、前記第２の画像処理ブロックが前記記憶手段から画像データを随時読み出して画像処理を行うことにより、ページ毎に異なる画像処理パラメータを用いて前記第２の画像処理ブロックで画像処理することを特徴とする。
【００１７】
また、請求項５にかかる発明は、請求項３または４に記載の画像処理装置において、前記制御手段は、前記第２の画像処理ブロックが前記記憶手段から画像データを読み出す際の読み出し開始アドレスと転送データサイズとを、前記第１の画像処理ブロックから前記記憶手段に画像データを書き込むのと並行して、前記第１の画像処理ブロックから前記第２の画像処理ブロックに自動的に設定することを特徴とする。
【００１８】
また、請求項６にかかる発明は、請求項１に記載の画像処理装置において、外部機器との間で画像データを送受信する外部インタフェース手段をさらに備え、前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記第１の画像処理ブロックが前記画像読取り手段から入力される画像データを処理して前記記憶手段に送出する最中に、前記第２の画像処理ブロックは前記外部インタフェース手段を介して外部機器からの画像データを随時読み出して画像処理を行うことを特徴とする。
【００１９】
また、請求項７にかかる発明は、請求項１に記載の画像処理装置において、外部機器からプリンタスクリプトデータを受信する外部インタフェース手段と、前記外部インタフェース手段を介して入力されたプリンタスクリプトデータに基づいて前記制御手段で描画処理を行う描画処理手段と、をさらに備え、前記制御手段は、前記画像読取り手段から受け取った画像データを前記第１の画像処理ブロックで処理して前記記憶手段に記憶させ、該記憶手段から読み出した画像データを前記第２の画像処理ブロックで処理して前記憶手段に送出するルートを選択した際に、前記第１の画像処理ブロックが前記画像読取り手段から入力される画像データを処理して前記記憶手段に送出する最中に、前記第２の画像処理ブロックは前記外部インタフェース手段を介して外部機器から入力されるプリンタスクリプトデータを前記描画処理手段で描画した画像データを用いて画像処理を行うことを特徴とする。
【００２０】
また、請求項８にかかる発明は、請求項６または７に記載の画像処理装置において、前記制御手段は、前記画像読取り手段から受け取った画像データを前記第１の画像処理ブロックで処理して前記記憶手段に送出する際に、画像データと併せて前記第２の画像処理ブロックで使用する画像処理パラメータを退避させ、前記第２の画像処理ブロックが前記外部インタフェース手段を介して入力されるデータに対して画像処理を終了した後、前記退避させた画像処理パラメータを前記第２の画像処理ブロックに設定し、前記退避させた画像データに対して画像処理を再開することを特徴とする。
【００２１】
上述した課題を解決し、目的を達成するために、請求項９にかかる発明は、原稿を読み取り電子化した画像データを得る画像読取りステップと、少なくとも前記画像読取りステップで読み取った画像データを処理する画像データ処理ステップと、前記画像データ処理ステップで処理された画像データを記憶する記憶ステップと、前記各ステップを制御する制御ステップと、を含み、前記画像データ処理ステップは、前記画像読取りステップで読み取られた画像データを処理する第１の処理ステップと、前記記憶ステップあるいは前記第１の処理ステップで処理された画像データを処理する第２の処理ステップとを含み、前記制御ステップは、前記画像読取りステップで読み取った画像データを前記第１の処理ステップおよび前記第２の処理ステップの両方で処理を行って前記記憶ステップで記憶する手順と、前記第１の処理ステップで処理した画像データを前記記憶ステップで記憶させ、該記憶させた画像データを前記第２の処理ステップで処理して再度前記憶ステップで記憶させる手順とを選択可能にし、前記第１の処理ステップの処理結果に応じて前記第２の処理ステップで行う処理を切り替えたり、前記第２の処理ステップで行う処理内容に応じて前記第２の処理ステップで処理する画像データを前記第１の処理ステップによるものか前記記憶ステップによるものかを切り替えたりすることを特徴とする。
【００２２】
上述した課題を解決し、目的を達成するために、請求項１０かかる発明は、請求項９に記載の画像処理方法の各ステップをコンピュータに実行させることを特徴とするコンピュータが実行するためのプログラムである。
【発明の効果】
【００２３】
本発明によれば、画像読取り手段により読み取った画像データと、記憶手段が記憶する画像データとを、画像データ処理手段によって画像処理を行い、制御手段により各手段を制御と各手段間の接続制御を行う。画像データ処理手段は、画像読取り手段から受け取った画像データを処理する第１の画像処理ブロックと、記憶手段あるいは第１の画像処理ブロックから受け取った画像データを処理する第２の画像処理ブロックとを備えている。制御手段は、画像読取り手段から受け取った画像データを第１の画像処理ブロックおよび第２の画像処理ブロックの両方で処理を行って記憶手段に送出するルートと、第１の画像処理ブロックで処理した画像データを記憶手段に一旦記憶させ、記憶手段から読み出した画像データを第２の画像処理ブロックで処理して再び憶手段に送出するルートとを選択可能とし、第１の画像処理ブロックの処理結果に応じて第２の画像処理ブロックで行う処理を切り替えたり、第２の画像処理ブロックで行う処理内容に応じて第２の画像処理ブロックへ入力する画像を第１の画像処理ブロックからの画像とするか、あるいは記憶手段からの画像とするかを切り替えたりする。このように、構築する画像処理装置の要件（画像処理の種類、読取り装置の速度、メモリ容量等）に応じて画像処理のルートや記憶手段との接続パターンを柔軟に切り替えることができるため、ユーザの多種多様な機能要求に対して低コストで達成することができる。
【発明を実施するための最良の形態】
【００２４】
以下に添付図面を参照して、この発明にかかる画像処理装置、画像処理方法、およびその方法をコンピュータに実行させるプログラムの最良な実施の形態を詳細に説明する。
【００２５】
（第１の実施の形態）
本発明の第１の実施の形態を図１〜図４に基づいて説明する。第１の実施の形態は、画像処理装置として、複写機能、ファクシミリ（ＦＡＸ）機能、プリンタ機能、および入力画像（読み取り原稿画像やプリンタ或いはＦＡＸ機能により入力された画像）を配信する機能、を複合したいわゆる複合機であるデジタルカラー複合機（ＭＦＰ：Ｍｕｌｔｉ  Ｆｕｎｃｔｉｏｎ  Ｐｅｒｉｐｈｅｒａｌ）を適用した例を示す。
【００２６】
図１および図２は、第１の実施の形態にかかるデジタルカラー複合機のシステム構成を示すブロック図であり、図３は、図１および図２の第１の画像処理ブロックの一構成例を示すブロック図であり、図４は、図１および図２の第２の画像処理ブロックの一構成例を示すブロック図である。図１および図２に示すデジタルカラー複合機２０は、画像読取り手段としての読取り装置１、画像データ処理手段としての画像データ処理装置２、第１の画像処理ブロック１６、第２の画像処理ブロック１７、制御手段としてのＣＰＵ（Central Processing Unit）３、記憶手段としてのメモリ４、書込みＩ／Ｆ装置５、書込み装置６、ユーザインタフェース装置である操作表示装置７、インタフェース装置である回線Ｉ／Ｆ装置８、外部インタフェース手段としての外部Ｉ／Ｆ装置９、Ｓ．Ｂ．（South Bridge）１０、ＲＯＭ（Read Only Memory）１１、ＳＤカード１５などが挿入可能なスロットなどを備えている。また、デジタルカラー複合機２０と接続される外部機器としては、電話回線を介して接続されたファクシミリ装置（ＦＡＸ）１２、ネットワークを介して接続されたパーソナルコンピュータ（ＰＣ）１３やデジタルカラー複合機（ＭＦＰ）１４などがある。
【００２７】
読取装置１は、ＣＣＤ光電変換素子からなるラインセンサとＡ／Ｄコンバータとそれらの駆動回路を具備し、セットされた原稿をスキャンすることで得る原稿の濃淡情報から、ＲＧＢ各８ビットのデジタル画像データを生成し出力する。 
【００２８】
画像データ処理装置２は、読取り装置１から出力されたデジタル画像データに対して各種画像処理を施すものである。本発明の特徴的は、この画像データ処理装置２が第１の画像処理ブロック１６と第２の画像処理ブロック１７とに分けられ、ＣＰＵ３によって第１の画像処理ブロック１６と第２の画像処理ブロック１７の接続状態を切り替えることによって、処理ルートを様々に変更できる点にある。画像データ処理装置２の詳細説明については後述する。
【００２９】
ＣＰＵ３は、デジタルカラー複合機２０全体の制御を司るマイクロプロセッサである。また、ここでは、近年普及してきたＣＰＵコア単体に＋αの機能を追加したインテグレーテッドＣＰＵを使用している。インテグレーテッドＣＰＵとしては、例えば、ＰＭＣ社のＲＭ１１００を採用している。このＲＭ１１００は、クロスバースイッチを使って複数のＰＣＩ−ＥｘｐｒｅｓｓバスやＤＩＭＭメモリバスを接続するバス制御機能がインテグレート（＋α）されている。
【００３０】
メモリ４は、ＣＰＵ３に接続された各装置間でデータをやり取りする際の処理上の速度差を吸収するため、一時的なデータ記憶を行う揮発性メモリである。また、メモリ４は、ＣＰＵ３がデジタルカラー複合機２０の制御を行う際に、プログラムや中間処理データを一時的に記憶する。ＣＰＵ３は、高速処理が求められるため、通常起動時にＲＯＭ１１に記憶されたブートプログラムにてシステムを起動し、その後は高速にアクセス可能なメモリ４に展開されたプログラムによって処理を行う。また、ＣＰＵ３は、メモリ４内に記憶された画像データを自由に読み書きすることができる。本実施の形態では、規格化されパーソナルコンピュータに普及しているＤＩＭＭを使用している。
【００３１】
書込みＩ／Ｆ装置５は、ＣＰＵ（ＰＣＩ−Ｅｘｐｒｅｓｓのバス制御機能を含む）３経由で送られてくるＣＭＹＫ（シアン、マゼンタ、イエロー、ブラック）の画像データを受け取ると、プロッタ装置である書込み装置６の専用Ｉ／Ｆに出力するバスブリッジ処理を行う。
【００３２】
書込み装置６は、ＣＭＹＫの画像データを受け取ると、レーザビームを用いた電子写真プロセスを使って転写紙に受け取った画像データを印刷出力する。
【００３３】
操作表示装置７は、本デジタルカラー複合機２０とユーザとのインタフェース部分であり、ＬＣＤ装置（液晶表示装置）とスイッチ装置などから構成されている。デジタルカラー複合機２０の各種状態や操作方法をＬＣＤに表示し、ユーザからのキースイッチ入力を検知する。本実施の形態では、ＰＣＩ−Ｅｘｐｒｅｓｓバスを介してＣＰＵ３と接続されている。
【００３４】
回線Ｉ／Ｆ装置８は、ＰＣＩ−Ｅｘｐｒｅｓｓバスと電話回線とを接続する装置である。この装置により本デジタルカラー複合機２０は、電話回線を介してファクシミリ装置１２との間で各種データのやり取りを行うことが可能になる。
【００３５】
外部Ｉ／Ｆ装置９は、ＰＣＩ−Ｅｘｐｒｅｓｓバスと外部装置を接続する装置である。この装置により本デジタルカラー複合機２０は、ＰＣ１３やＭＦＰ１４と各種データのやり取りを行うことが可能になる。本実施の形態では、その接続Ｉ／Ｆとしてネットワーク（イーサネット：登録商標）、および外部メディアＩ／Ｆ（ＳＤカードスロット等）を使用している。すなわち、本デジタルカラー複合機２０は、外部Ｉ／Ｆ装置９を介してＰＣ１３、ＭＦＰ１４、あるいはＳＤカード１５等に接続されている。
【００３６】
Ｓ．Ｂ．１０は、パーソナルコンピュータに使用されるチップセットの一つであり、Ｓｏｕｔｈ  Ｂｒｉｄｇｅと呼ばれる汎用の電子デバイスである。主に、ＰＣＩ−ＥｘｐｒｅｓｓとＩＳＡブリッジとを含むＣＰＵシステムを構築する際によく使用されるバスのブリッジ機能を汎用回路化したものであり、本実施の形態においてはＲＯＭ１１との間をブリッジしている。 
【００３７】
ＲＯＭ１１は、ＣＰＵ３がデジタルカラー複合機２０の制御を行う際の各種プログラム（含むブート）を格納するメモリである。
【００３８】
外部機器としてのＦＡＸ１２は、通常のファクシミリ装置であり、電話回線を介して本デジタルカラー複合機２０と画像データの授受を行う。
【００３９】
外部機器としてのＰＣ１３は、パーソナルコンピュータであり、このパーソナルコンピュータにインストールされたアプリケーションソフトやドライバを介して、ユーザは本デジタルカラー複合機２０に対して各種制御、画像データの入出力やその制御等を行う。
【００４０】
外部機器としてのＭＦＰ１４は、ネットワーク上に存在する他のデジタルカラー複合機である。
【００４１】
外部メディアＩ／Ｆは、画像データを含む各種電子データが記録された外部メディアとしてのコンパクトフラッシュ（登録商標）カードやＳＤカード１５等をユーザがスロットに挿入することにより、本デジタルカラー複合機２０に対して画像データの入出力を行うことができる。
【００４２】
次に、第１の実施の形態にかかるデジタルカラー複合機２０の特徴的な構成について詳述する。まず、図１および図２に示すように、画像データ処理装置２の内部は、第１の画像処理ブロック１６と第２画像処理ブロック１７で構成されている。
【００４３】
まず、第１の画像処理ブロック１６は、読取り装置１から専用Ｉ／Ｆを介してＲＧＢ（レッド、グリーン、ブルー）の画像データを受け取ると、各種画像処理を行って出力する。その時の出力先は、ＣＰＵ３の指示により、第２の画像処理ブロック１７かＣＰＵ（ＰＣＩ−Ｅｘｐｒｅｓｓのバス制御機能を含む）３の何れかに切り替えることができる。
【００４４】
第１の画像処理ブロック１６から第２の画像処理ブロック１７へ出力される場合は（図１参照）、装置内部の専用Ｉ／Ｆを介して送信され、ＣＰＵ３へ出力される場合は（図
２参照）、ＰＣＩ−Ｅｘｐｒｅｓｓバス経由でメモリ４に送信される。
【００４５】
第２の画像処理ブロック１７は、前述した装置内部の専用Ｉ／Ｆを介した第１の画像処理ブロック１６、もしくはＣＰＵ３を介してメモリ４からＲＧＢ画像データを受け取り、各種画像処理を行って出力する。第１の画像処理ブロック１６およびＣＰＵ３のどちらから画像データを受け取るかの選択は、ＣＰＵ３からの指示に従う。また、第２の画像処理ブロック１７における画像処理後の出力先については、何れもＣＰＵ３を介してメモリ４に出力される（図１および図２参照）。
【００４６】
このように、本発明の特徴は、読取り装置１で読み取った画像データに対して、画像データ処理装置２内の第１の画像処理ブロック１６および第２の画像処理ブロック１７の両方で処理した画像データをメモリ４に送出するルート（図１のルート参照）と、第１の画像処理ブロック１６で処理した画像データを一旦メモリ４に送出すると共に、メモリ４から受け取った画像データを第２の画像処理ブロック１７で処理してメモリ４に送出するルート（図２のルート参照）とをＣＰＵ３により選択可能としている。
【００４７】
また、これにより第１の画像処理ブロック１６の処理結果に応じて第２の画像処理ブロック１７で行う処理内容を切り替えることが可能になる。また、第２の画像処理ブロック１７で行う処理内容に応じて、第２の画像処理ブロック１７が受ける取る画像データを第１の画像処理ブロック１７からとするか、メモリ４からとするかを切り替えることが可能になる。
【００４８】
次に、デジタルカラー複合機（ＭＦＰ）２０の代表的な動作であるコピー動作を使い、第１の画像処理ブロック１６と第２の画像処理ブロック１７とを用いて行う画像処理について説明する。
【００４９】
〔コピー動作〕
まず、ユーザは、原稿を図１の読取り装置１にセットし、所望するコピーモードの設定とコピー開始入力とを操作表示装置７から行う。
【００５０】
操作表示装置７は、ユーザから入力された情報を機器内部の制御コマンドデータに変換して発行する。発行された制御コマンドデータは、ＰＣＩ−Ｅｘｐｒｅｓｓバスを介してＣＰＵ３に通知される。ＣＰＵ３は、コピー開始の制御コマンドデータに従って、コピー動作プロセスのプログラムを実行し、コピー動作に必要な設定や動作を順に行っていく。以下、動作プロセスを順に説明する。
【００５１】
原稿画像を画像読取り装置１でスキャンして得られたＲＧＢ各８ビットのデジタル画像データは、画像データ処理装置２に送られる。画像データ処理装置２では、第１の画像処理ブロック１６と第２の画像処理ブロック１７とにより画像処理が行われる。
【００５２】
第１の画像処理ブロック１６は、図３に示すように、シェーディング処理部３１、カラー判定処理部３２、および像域分離処理部３３などにより構成されている。
【００５３】
シェーディング処理部３１は、読取り装置１から受け取った画像データに対して走査ライン毎の照明ムラやＣＣＤ（Ｃｈａｒｇｅ  Ｃｏｕｐｌｅｄ  Ｄｅｖｉｃｅ）などの光電変換素子の画素毎の感度ムラ等に起因するバラツキを補正して次段へ出力するものである。
【００５４】
カラー判定処理部３２は、シェーディング処理部３１からシェーディング補正された画像データを受け取ると、原稿の持つカラー情報からその原稿がカラー／モノクロのどちらであるかの判定を行うものである。その判定の結果は、１頁分の読み取りが終了することによって確定する。
【００５５】
像域分離処理部３３は、シェーディング処理部３１からシェーディング補正された画像データを受け取ると、原稿の持つ特徴的なエリアの抽出を行うものである。例えば、一般的な印刷によって形成されている網点部の抽出、文字などのエッジ部の抽出、その画像データの有彩／無彩の判定、背景画像が白であるか否かの白背景の判定などがある。その判定結果は、画素毎に特徴データとして出力される。
【００５６】
従って、第１の画像処理ブロック１６からは、シェーディング処理部３１によりシェーディング補正された画像データと、像域分離処理部３３から出力される特徴データの２つが次段に出力されることになる。
【００５７】
続いて、図１に示すルートの場合、第１の画像処理ブロック１６から出力された画像データと特徴データは、第２の画像処理ブロック１７に送信される。
【００５８】
第２の画像処理ブロック１７は、図４に示すように、自動濃度調整処理部４１、フィルタ処理部４２、色補正処理部４３、変倍処理部４４、階調処理部４５、および編集処理部４６などにより構成されている。
【００５９】
自動濃度調整処理部４１は、ユーザの設定によって処理の有効／無効が切り替わるものである。処理が有効な場合は、受け取った画像データから原稿内の濃度の変動範囲を自動的に検出して、再現する濃度範囲を調整して出力する。例えば、新聞原稿のように地肌領域が濃い原稿の場合は、地肌領域を飛ばして次段に出力する。なお、この自動濃度調整処理部４１では、画像データのみを使用し、特徴データは使用しない。
【００６０】
フィルタ処理部４２は、画質を調整する役割を担い、画像データの持つ空間周波数を変換するものである。また、第１の実施の形態では、特徴データを利用して原稿の領域毎に適切なフィルタ処理を行っている。例えば、エッジ部は文字の先鋭性を向上させる目的でＭＴＦ補正処理を施し、網点部はモワレを抑止するために平滑化処理を施している。
【００６１】
色補正処理部４３は、出力先の色空間特性に合うように色変換処理を行うものである。コピー動作では、出力先である書込み装置６の仕様として、ＲＧＢデータをＣＭＹＫデータに変換する。また、本第１の実施の形態では、特徴データを利用して、原稿の有彩部は色味が鮮やかになるように調整し、無彩部は色味が落ち着くように調整している。その他、出力先が外部Ｉ／Ｆ装置９を介したＰＣ１３の場合には、汎用規格化されたsRGBに変換することもできる。
【００６２】
変倍処理部４４は、コピー動作時の指定倍率（拡大／縮小）に従って変倍処理（解像度変換処理）を行うものである。また、この変倍処理部４４では、特徴データは使用しないが、画像データに同期するように特徴データに対しても変倍処理が行われる。
【００６３】
階調処理部４５は、書込み装置６の仕様に合うような階調処理を施すものである。第１の実施の形態では、特徴データを利用して、領域毎にプリンタγおよび誤差拡散処理の手法を切り替えながら、書込み装置６に合わせて階調の深さ（ビット数）を８ｂｉｔから２ｂｉｔに変換している。
【００６４】
編集処理部４６は、ユーザによるコピー動作時の編集指定に従って、枠消去やセンター消去などの処理を、画像データに対し施すものである。
【００６５】
第２の画像処理ブロック１７は、上述した一連の処理を施すことにより、コピー出力用のＣＭＹＫ画像データを生成して出力する。そして、画像データ処理装置２から出力されるＣＭＹＫ画像データは、ＣＰＵ３を介して、メモリ４に蓄積される。
【００６６】
メモリ４に蓄積されたＣＭＹＫ画像データは、ＣＰＵ７および書込みＩ／Ｆ装置５を介して書込み装置６に送られる。書込み装置６は、受け取ったＣＭＹＫ画像データを転写紙に出力して、原稿のコピーが生成される。
【００６７】
このように、第１の実施の形態によれば、多種多様化した画像処理装置における画像処理の種類、読取り装置の読み取り速度、あるいはメモリ容量といった様々な環境に応じて画像処理に対する制約が生じてきたことに対し、画像データ処理装置２の第１の画像処理ブロック１６および第２の画像処理ブロック１７の両方で処理した画像データをメモリ４に送出するルートと、第１の画像処理ブロック１６で処理した画像データを一旦メモリ４に送出すると共に、メモリ４から受け取った画像データを第２の画像処理ブロック１７で処理してメモリ４に送出するルートをＣＰＵ３により選択可能としたことにより、ユーザの多種多様な機能要求に対して低コストで達成できるようになった。
【００６８】
（第２の実施の形態）
第２の実施の形態の特徴は、制御手段としてのＣＰＵ３が画像データ処理装置２内の第１の画像処理ブロック１６と第２の画像処理ブロック１７とを直列に接続し、出力先に応じた画像処理を第１の画像処理ブロック１６と第２の画像処理ブロック１７とで完了させるようにした点にある。
【００６９】
第２の実施の形態は、図１に示すように、ＣＰＵ３により第１の画像処理ブロック１６と第２の画像処理ブロック１７とを直列に接続することにより、読取り装置１で読み取った画像データが画像データ処理装置２の第１の画像処理ブロック１６に入力される。第１の画像処理ブロック１６には、読取り装置１で読み取った生の画像データに対して正規化処理を行う読取り補正処理、あるいは１ページの原稿画像データ毎に１つの検知結果が導き出されるページ内検知処理などの画像処理部が配置されている。
【００７０】
また、第１の画像処理ブロック１６に続く第２の画像処理ブロック１７には、正規化後の画像データに対して出力先に応じた画像処理を行う出力補正処理などの画像処理部が配置されている。
【００７１】
具体的には、図３の第１の画像処理ブロック１６におけるシェーディング処理部３１は、読取り装置１で読み取った画像データの光源の照度ムラに起因する読取り濃度ムラを正規化して、補正する処理を行うものである。カラー判定処理部３２は、読み取った原稿ページがカラーページなのか白黒ページなのかを検知して、判定するページ内検知処理部であり、像域分離処理部３３は、文字部領域、絵柄部領域などの画像領域を検知する検知処理部である。
【００７２】
また、図４の第２の画像処理ブロック１７における自動濃度調整処理部４１、フィルタ処理部４２、色補正処理部４３、変倍処理部４４、階調処理部４５、および編集処理部４６は、出力先やユーザの好みに応じて、画像データの調整、補正処理を行う画像処理部である。
【００７３】
このため、第２の実施の形態によれば、図１に示すように、第１の画像処理ブロック１６と第２の画像処理ブロック１７を直列に接続することにより、読取り装置１→第１の画像処理ブロック１６→第２の画像処理ブロック１７→メモリ４の流れで画像データの処理が行われ、画像処理の途中で画像データ処理装置２とメモリ４との間で画像データの送受信が行われないため、読取り装置１に対する補正処理と出力先やユーザの好みに応じた画像処理の両方を完了させることができる。
【００７４】
また、画像処理の途中に画像データ処理装置２とメモリ４との間で画像データの送受信を行わないことにより、データ送受信にかかる時間を無くし、短時間で全画像処理を完了させることができる。
【００７５】
（第３の実施の形態）
第３の実施の形態の特徴は、制御手段としてのＣＰＵ３が画像データ処理装置２内の第１の画像処理ブロック１６と第２の画像処理ブロック１７との間で処理した画像データを一旦メモリ４に転送する点にある。
【００７６】
第３の実施の形態は、図２に示すように、ＣＰＵ３により読取り装置１で読み取った画像データが画像データ処理装置２の第１の画像処理ブロック１６に入力され、第１の画像処理ブロック１６の処理が終わった時点で、画像データ処理装置２からメモリ４に画像データを転送し、再びメモリ４から画像データを読み出して、画像データ処理装置２の第２の画像処理ブロック１７に入力され、第２の画像処理ブロック１７の処理が終わると、画像データ処理装置２からメモリ４に画像データを転送する。
【００７７】
第３の実施の形態において、図３および図４に示す第１の画像処理ブロック１６および第２の画像処理ブロック１７の構成説明については、上記第２の実施の形態と同様であり、重複説明を省略する。
【００７８】
例えば、第２の画像処理ブロック１７で行う画像処理に要する時間が、読取り装置１における画像読取りに要する時間を上回る場合は、第２の画像処理ブロック１７を第１の画像処理ブロック１６と直列に接続すると、第２の画像処理ブロック１７は、読取り装置１の動作を律速することになる。
【００７９】
そこで、第３の実施の形態によれば、図２に示すように、第１の画像処理ブロック１６での画像処理を完了した後、一旦メモリ４に画像データを転送し、第２の画像処理ブロック１７は、メモリ４から第２の画像処理ブロック１７で処理可能な速度で画像データを読み出して、画像処理を行うようにするため、第２の画像処理ブロック１７の画像処理に要する時間によって、読取り装置１の速度を律速することがなくなり、第１の画像処理ブロック１６と第２の画像処理ブロック１７での画像処理を完了させることができる。
【００８０】
なお、第１の画像処理ブロック１６には、読取り装置１の画像読取り速度を律速するような時間を要する画像処理は配置しないようにする。また、上記した読取り装置１の画像読取り速度を律速する可能性のある場合としては、図４の第２の画像処理ブロック１７における変倍処理部４４の拡大処理などが考えられる。例えば、変倍処理部４４における画像拡大時には、入力データに対して出力データの画像データ量が多くなるため、拡大処理後の画像データを送出するのに時間を要することになる。このため、一定の拡大率以上になると、読取り装置１の画像読取り速度を律速する場合が生じることから、第３の実施の形態のように構成する必要がある。
【００８１】
このように、第３の実施の形態によれば、図２に示すように、読取り装置１で読み取った画像データを第１の画像処理ブロック１６に入力し、第１の画像処理ブロック１６の画像処理が終わった時点で、画像データ処理装置２から一旦メモリ４に画像データを転送することにより、読取り装置１の読取速度と、第２の画像処理ブロック１７の処理速度に差が生じたとしても、これを吸収することができる。
【００８２】
（第４の実施の形態）
第４の実施の形態の特徴は、上記第３の実施の形態と同様に、制御手段としてのＣＰＵ３が画像データ処理装置２内の第１の画像処理ブロック１６と第２の画像処理ブロック１７との間で処理した画像データを一旦メモリ４に転送する点にある。ただ、第４の実施の形態では、第２の画像処理ブロック１７が第１の画像処理ブロック１６での１ページ分の処理結果に伴って画像処理パラメータを決定し、画像処理を行う場合について特に有効である。
【００８３】
第４の実施の形態において、図３および図４に示す第１の画像処理ブロック１６および第２の画像処理ブロック１７の構成説明については、上記第２の実施の形態と同様であり、重複説明を省略する。
【００８４】
第４の実施の形態では、図２に示すように、第１の画像処理ブロック１６と第２の画像処理ブロック１７の間で、画像データを一旦メモリ４に転送する。つまり、第１の画像処理ブロック１６の画像処理が終わった時点で、画像データ処理装置２からメモリ４に画像データを転送することにより、第２の画像処理ブロック１７は、第１の画像処理ブロック１６が１ページ分の画像処理が終了した後に、メモリ４から画像データを読み出して画像処理を行うことができる。
【００８５】
このことは、第１の画像処理ブロック１６が１ページ分の画像データを処理してページ毎に１つの検出結果を得るような検出処理を行う場合であって、第２の画像処理ブロック１７がこの検出結果に基づいて画像処理パラメータを切替えて画像処理を行うことができることになる。つまり、ページ毎に異なる画像処理パラメータを使って画像処理する必要がある場合でも、第４の実施の形態のように構成すれば、ページ毎に最適化した適応画像処理を行うことが可能となる。
【００８６】
例えば、第４の実施の形態が有効となる状況としては、ページ毎に１つの検出結果が得られる画像処理の一例として、図３のカラー判定処理部３２がある。カラー判定処理部３２によるカラー判定処理は、ページがカラー原稿なのか白黒原稿なのかを検出する検出処理である。そして、このカラー判定処理は、第１の画像処理ブロック１６が１ページ毎に画像処理を完了してカラー原稿か白黒原稿かを検出すると、第２の画像処理ブロック１７はそのカラー判定処理の検出結果に従って、画像処理パラメータをカラー用とするか、白黒用とするかをページ毎に切替えて画像処理を行うことができる。
【００８７】
このように、第４の実施の形態によれば、１ページ全ての画像データを処理することによって検出できる処理結果に基づいて、後段の画像処理のパラメータ設定をページ毎に切り替えて画像処理を行うができる画像処理装置とすることができる。特に、カラー判定処理に関するパラメータ設定に有効であり、ページ毎に最適化した適応画像処理を行うことが可能となる。
【００８８】
（第５の実施の形態）
図５は、第５の実施の形態にかかるデジタルカラー複合機のシステム構成を示すブロック図である。第５の実施の形態の特徴は、図５に示すように、制御手段としてのＣＰＵ３が画像データ処理装置２内の第１の画像処理ブロック１６と第２の画像処理ブロック１７との間で処理した画像データを一旦メモリ４に転送すると共に、第２の画像処理ブロック１７がメモリ４から画像データを読み出す際の読み出し開始アドレスと転送データサイズとを、第１の画像処理ブロック１６からメモリ４に対して画像データを書き込むのと並行して、第１の画像処理ブロック１６から第２の画像処理ブロック１７に設定するようにした点にある。
【００８９】
図５に示すように、第１の画像処理ブロック１６で画像処理された画像データをメモリ４に転送する際に、後で第２の画像処理ブロック１７が、メモリ４から画像データを読み出す際に、読み出し開始アドレスと転送データサイズの設定をＣＰＵ３が行わなくてもわかるようにするため、第１の画像処理ブロック１６から第２の画像処理ブロック１７に対して読み出し開始アドレスと転送データサイズとを設定値として自動的に通知するようにしている。
【００９０】
このように、第５の実施の形態によれば、第２の画像処理ブロック１７がメモリ４から画像データを読み出す際に、ＣＰＵ３から読み出し開始アドレスと転送データサイズとを設定することなく読み出しが行えるため、第２の画像処理ブロック１７における画像処理開始を迅速に行うことができる。
【００９１】
（第６の実施の形態）
図６は、第６の実施の形態にかかるデジタルカラー複合機のシステム構成を示すブロック図である。第６の実施の形態の特徴は、図６に示すように、外部機器との間で画像データを送受信する外部インタフェース装置９を備え、第１の画像処理ブロック１６が画像処理を行って画像データをメモリ４に送出する間に、第２の画像処理ブロック１７は外部インタフェース装置９を介して外部機器からの画像データを読み出して画像処理を行う点にある。
【００９２】
すなわち、図６に示すように、第１の画像処理ブロック１６で画像処理を行った画像データを一旦メモリ４に記憶させるルートを選択した場合、第２の画像処理ブロック１７は、その間処理を何も行っていない可能性がある。そこで、空いているモジュールを有効活用するために、第１の画像処理ブロック１６が画像処理を行って画像データをメモリ４に記憶させている間、第２の画像処理ブロック１７は、外部インタフェース装置９を介して外部機器から画像データを読み出し、ユーザの好みや出力先に応じて画像処理を行い、指定の出力先へ画像処理後の画像データを出力することができる。
【００９３】
第６の実施の形態では、第２の画像処理ブロック１７が画像データを読み出す外部機器の一例として、ハードディスクドライブ（ＨＤＤ）、ＳＤメモリ、ＣＤドライブ、ＤＶＤドライブ、ネットワークで接続される外部機器（ＰＣ１３、ＭＦＰ１４）などを挙げることができる。
【００９４】
このように、第６の実施の形態によれば、第１の画像処理ブロック１６が画像処理を行ってメモリ４に画像データを処理する間、第２の画像処理ブロック１７を使って外部インタフェース装置９を介して外部機器から画像データを読み出して画像処理することができるため、空いているモジュールを有効活用することができ、第１の画像処理ブロック１６と第２の画像処理ブロック１７とを並行動作させて２つの画像データを同時に画像処理することで効率良く処理を行うことができる。
【００９５】
（第７の実施の形態）
図７は、第７の実施の形態にかかるデジタルカラー複合機のシステム構成を示すブロック図である。第７の実施の形態の特徴は、図７に示すように、外部機器からプリンタスクリプトデータを受信する外部インタフェース装置９と、プリンタスクリプトデータに基づいて描画処理を行う描画処理部１８とを備え、第１の画像処理ブロック１６が画像処理を行って画像データをメモリ４に送出する間に、第２の画像処理ブロック１７は外部インタフェース装置９を介してＰＣ１３からプリンタスクリプトデータを入力し、描画処理部１８で描画処理を行った画像データを入力して画像処理を行う点にある。
【００９６】
すなわち、図７に示すように、第１の画像処理ブロック１６で画像処理を行った画像データを一旦メモリ４に記憶させるルートを選択した場合、第２の画像処理ブロック１７は、その間処理を何も行っていない可能性がある。そこで、空いているモジュールを有効活用するために、第１の画像処理ブロック１６が画像処理を行って画像データをメモリ４に記憶させている間、第２の画像処理ブロック１７は、外部インタフェース装置９を介して外部機器のＰＣ１３からプリンタスクリプトデータを入力し、ＣＰＵ３の描画処理部１８で描画した画像データを入力して、ユーザの好みに応じて画像処理する。
【００９７】
画像処理されたデータは、プリンタデータであるので、書込み装置６へ出力されるのが基本であるが、画像処理した後の画像データを、ユーザが指定した出力先に出力しても良い。また、ＣＰＵ３の描画処理部１８で描画処理を行ってプリンタスクリプトデータから画像データに変換されると、読取り装置１で読み取った画像データと同様に扱うことが可能となり、第２の画像処理ブロック１７は、画像処理を行うことができる。
【００９８】
このように、第７の実施の形態によれば、第１の画像処理ブロック１６が画像処理を行ってメモリ４に画像データを処理する間、第２の画像処理ブロック１７を使って外部インタフェース装置９を介してＰＣ１３からプリンタスクリプトデータを入力し、ＣＰＵ３の描画処理部１８で描画した画像データを入力して、画像処理することができるため、空いているモジュールを有効活用することができる。また、第１の画像処理ブロック１６と第２の画像処理ブロック１７とを並行動作させて、読取り装置１で読み取った画像データと、プリンタスクリプトデータとに対する２つの画像データを同時に画像処理することで効率良く処理を行うことができる。
【００９９】
（第８の実施の形態）
図８は、第８の実施の形態にかかるデジタルカラー複合機のシステム構成を示すブロック図である。第８の実施の形態の特徴は、図８に示すように、読取り装置１を用いて、読み取った画像データを第１の画像処理ブロック１６で画像処理を行い、メモリ４に転送する際に、画像データと併せて、第２の画像処理ブロック１７が画像処理する際に使用する画像処理パラメータをメモリ４に転送して記憶させる点にある。
【０１００】
すなわち、図８に示すように、読取り装置１を用いて読み取った画像データを第１の画像処理ブロック１６で画像処理を行って、メモリ４に転送して記憶させる。その際、画像データと併せて、第２の画像処理ブロック１７が後で画像処理する際に使用する画像処理パラメータをメモリ４へ待避させる。
【０１０１】
第１の画像処理ブロック１６は、読取り装置１で読み取った画像データに対する画像処理を行うのと並行して、第２の画像処理ブロック１７は、外部インタフェース装置９を介して外部機器から画像データを読み出して、画像処理を行う。外部インタフェース装置９から入力される画像データに対する画像処理が終了して、第２の画像処理ブロック１７が空くと、第２の画像処理ブロック１７は、メモリ４に蓄積されている画像データと画像処理パラメータとを読み出し、画像処理パラメータは、第２の画像処理ブロック１７内の各モジュールに設定して、画像処理を行うようにする。画像処理後の画像データは、ユーザ指定の出力先に出力される。
【０１０２】
このように、第８の実施の形態によれば、第１の画像処理ブロック１６が画像処理を行ってメモリ４に画像データを転送して記憶させる際に、画像データと併せて、第２の画像処理ブロック１７が画像処理する際に使用する画像処理パラメータをメモリ４へ待避させているため、第２の画像処理ブロック１７は、外部機器からの画像データに対する画像処理終了後にメモリ４に記憶されている画像データと画像処理パラメータとを読み出して画像処理を速やかに再開することができる。
【０１０３】
なお、上記各実施の形態にかかる画像処理装置で実行されるプログラムは、図１、図２、図５〜図８に示すＲＯＭ１１等に予め組み込まれて提供される。
【０１０４】
本実施の形態にかかる画像処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１０５】
さらに、本実施の形態にかかる画像処理装置で実行されるプログラムを、インターネット等のネットワークに接続されたコンピュータ上に格納し、ネットワーク経由でダウンロードさせることにより提供するように構成しても良い。また、本実施の形態にかかる画像処理装置で実行されるプログラムをインターネット等のネットワーク経由で提供または配布するように構成しても良い。
【０１０６】
本実施の形態にかかる画像処理装置で実行されるプログラムは、上述した各部（画像読取り手段、記憶手段、画像データ処理手段、制御手段、第１の画像処理ブロック、第２の画像処理ブロック、外部インタフェース手段、描画処理手段等）を含むモジュール構成となっており、実際のハードウェアとしてはＣＰＵ（プロセッサ）３が上記ＲＯＭ１１からのプログラムを読み出して実行することにより上記各部が主記憶装置上にロードされ、画像読取り手段、記憶手段、画像データ処理手段、制御手段、第１の画像処理ブロック、第２の画像処理ブロック、外部インタフェース手段、描画処理手段等が主記憶装置上に生成されるようになっている。
【図面の簡単な説明】
【０１０７】
【図１】第１の実施の形態にかかるデジタルカラー複合機のシステム構成を示すブロック図である。
【図２】第１の実施の形態にかかるデジタルカラー複合機のシステム構成を示すブロック図である。
【図３】図１および図２の第１の画像処理ブロックの一構成例を示すブロック図である。
【図４】図１および図２の第２の画像処理ブロックの一構成例を示すブロック図である。
【図５】第５の実施の形態にかかるデジタルカラー複合機のシステム構成を示すブロック図である。
【図６】第６の実施の形態にかかるデジタルカラー複合機のシステム構成を示すブロック図である。
【図７】第７の実施の形態にかかるデジタルカラー複合機のシステム構成を示すブロック図である。
【図８】第８の実施の形態にかかるデジタルカラー複合機のシステム構成を示すブロック図である。
【符号の説明】
【０１０８】
１  読取り装置
２  画像データ処理装置
３  ＣＰＵ
４  メモリ
５  書込みＩ／Ｆ装置
６  書込み装置
７  操作表示装置
８  回線Ｉ／Ｆ装置
９  外部Ｉ／Ｆ装置
１０  Ｓ．Ｂ．
１１  ＲＯＭ
１２  ファクシミリ装置（ＦＡＸ）
１３  パーソナルコンピュータ（ＰＣ）
１４  デジタルカラー複合機（ＭＦＰ）
１５  ＳＤカード
１６  第１の画像処理ブロック
１７  第２の画像処理ブロック
１８  描画処理部
２０  デジタルカラー複合機
３１  シェーディング処理部
３２  カラー判定処理部
３３  像域分離処理部
４１  自動濃度調整処理部
４２  フィルタ処理部
４３  色補正処理部
４４  変倍処理部
４５  階調処理部
４６  編集処理部
【図１】
2009225270.tif 000003
【図２】
2009225270.tif 000004
【図３】
2009225270.tif 000005
【図４】
2009225270.tif 000006
【図５】
2009225270.tif 000007
【図６】
2009225270.tif 000008
【図７】
2009225270.tif 000009
【図８】
2009225270.tif 000010